(57)【要約】【課題】２つのスクリーンを選択的に使用しかつ開閉操作することができると共に、何れのスクリーンを使用する場合にも開閉操作を円滑且つ安定的に行うことができる選択使用式のスクリーン装置を提供する。【解決手段】仕切框５と固定框３との間及び仕切框５と可動框４との間に伸縮自在の２つのスクリーン７，８を取り付け、前記仕切框５を連結装置１０で固定框３と可動框４とに選択的に連結することによって２つのスクリーン７，８を選択的に使用可能としたスクリーン装置において、前記連結装置１０を、前記仕切框５に設けた掛け金具１１と、前記固定框３に設けた第１受け金具１２と、前記可動框４に設けた第２受け金具１３とで形成し、前記掛け金具１１を前記第１受け金具１２と第２受け金具１３とに選択的に係止させることによって前記仕切框５を前記固定框３と可動框４とに選択的に連結可能とした。【選択図】図３
2014118772.tif 000002
【特許請求の範囲】
【請求項１】
矩形のスクリーン取付枠内に、該スクリーン取付枠の左右の縦枠杆の一方に固定される固定框と、該スクリーン取付枠内を移動自在の可動框及び仕切框と、前記左右の縦枠杆の他方に固定される框受けとを配設し、前記仕切框は前記固定框と可動框との間に配置し、該仕切框と前記固定框との間及び該仕切框と前記可動框との間にそれぞれ伸縮自在のスクリーンを取り付け、前記仕切框を連結装置で前記固定框と可動框とに選択的に連結することによって２つの前記スクリーンを選択的に使用可能としたスクリーン装置であって、
前記連結装置は、前記仕切框に設けた掛け金具と、前記固定框に設けた第１受け金具及び前記可動框に設けた第２受け金具とを有し、前記掛け金具を前記第１受け金具と第２受け金具とに選択的に係止させることによって前記仕切框を前記固定框と可動框とに選択的に連結するように構成された、
ことを特徴とする選択使用式スクリーン装置。
【請求項２】
前記可動框を直立状態で平行移動させるための平行移動機構を有し、該平行移動機構は、前記框受け、可動框、仕切框、固定框の間に掛け渡されたワイヤーを有し、該ワイヤーは、前記可動框及び固定框においては該可動框及び固定框の内部に設けられた転向子に掛け回され、前記仕切框においは該仕切框を水平に貫通していることを特徴とする請求項１に記載のスクリーン装置。
【請求項３】
前記掛け金具は、前記仕切框の一側に位置して前記固定框の第１受け金具に係止する第１係止部と、前記仕切框の他側に位置して前記可動框の第２受け金具に係止する第２係止部とを有し、前記掛け金具と前記第１受け金具及び第２受け金具とは、相対的な上下動操作によって相互に係脱可能とされ、前記第１係止部が第１受け金具に係止しているとき前記第２係止部と第２受け金具とが上下方向の互いに異なる位置を占めて非係止となり、前記第２係止部が第２受け金具に係止しているとき前記第１係止部と第１受け金具とが上下方向の互いに異なる位置を占めて非係止となるように構成されたことを特徴とする請求項１又は２に記載のスクリーン装置。
【請求項４】
前記仕切框に前記掛け金具が上下動操作可能に取り付けられ、前記固定框及び可動框に前記第１受け金具及び第２受け金具がそれぞれ固定状態に取り付けられていることを特徴とする請求項３に記載のスクリーン装置。
【請求項５】
前記掛け金具の第１係止部と第２係止部とが上下方向の互いに異なる位置に配設され、前記固定框の第１受け金具と前記可動框の第２受け金具とが上下方向の互いに同じ位置に配設されていることを特徴とする請求項４に記載のスクリーン装置。
【請求項６】
前記仕切框に前記掛け金具が固定状態に取り付けられ、前記固定框及び可動框に前記第１受け金具及び第２受け金具がそれぞれ上下動操作可能に取り付けられていることを特徴とする請求項３に記載のスクリーン装置。
【発明の詳細な説明】
【技術分野】
【０００１】
本発明は、遮光、断熱、目隠し、防虫、花粉の侵入防止等のため建物開口部に取り付けるスクリーン装置に関するものであり、更に詳しくは、２つのスクリーンを選択的に使用することができる選択使用式スクリーン装置に関するものである。
【背景技術】
【０００２】
特許文献１や特許文献２に開示されているように、建物開口部に装着されるスクリーン取付枠内に防虫用や断熱用など用途の異なる２つのスクリーンを取り付け、これら２つのスクリーンを用途に応じて選択的に使い分けられるようにしたスクリーン装置は公知である。
【０００３】
このうち特許文献１に開示されたスクリーン装置は、スクリーン取付枠内を移動自在の可動框に２つのスクリーンの一端を連結すると共に、該２つのスクリーンの他端を前記スクリーン取付枠の左右の側枠部材の一方と他方とに連結し、前記可動框を前記左右の側枠部材の一方側と他方側とに移動させることによって前記２つのスクリーンを選択的に使用するものであるが、このスクリーン装置は、前記２つのスクリーンの何れを使用する場合も、使用中のスクリーンは常に伸張した状態になって前記スクリーン取付枠を塞いでいるため、該スクリーンを開閉操作することができないばかりか、２つのスクリーンを同時に折り畳んで収納状態にすることができない。
【０００４】
また、特許文献２に開示されたスクリーン装置は、スクリーン取付枠（補助組付け枠）内に第１−第３の３つの可動部材を移動自在に配設して、該３つの可動部材の間に２つのスクリーンを取り付け、中間の第２の可動部材を第１の可動部材に密着させたり第３の可動部材に密着させたりすることによって前記２つのスクリーンを選択的に使用するものであり、このスクリーン装置を網戸として使用する場合には、前記第１の可動部材をスクリーン取付枠の一方の固定部材側に密着移動させると共に、第２及び第３の可動部材を密着状態でスクリーン取付枠の中央に保持して一方のスクリーンを使用し、前記スクリーン装置を防露装置として使用する場合は、前記第１の可動部材と第２の可動部材とを密着状態にしてスクリーン取付枠の一方の固定部材側に密着移動させると共に、前記第３の可動部材を前記スクリーン取付枠の他方の固定部材側に密着移動させて他方のスクリーンを使用する。
【０００５】
しかし、前記特許文献２のスクリーン装置は、何れのスクリーンの使用時にも、前記可動部材を移動操作してスクリーンを開閉することを意図したものではないため、開閉操作に適した構成を備えていない。特に、前記各可動部材は、他の可動部材又は固定部材に密着させるだけでその状態を維持するようにしているため、密着時の安定性が悪く、２つの可動部材を単に密着させたまま無理に開閉操作しようとしても、両部材を安定的に一体に保ったまま円滑に開閉操作することはできない。しかも、前記第２の可動部材を第１及び第３の可動部材の一方と他方に密着させる際の移動を安定させるためには、該第２の可動部材の内部にワイヤーテンション機構のワイヤーを挿入して掛け回すなどの複雑な機構を設ける必要がある。
【先行技術文献】
【特許文献】
【０００６】
【特許文献１】特許第２８９５７３７号公報
【特許文献２】特開平６−３３０６７５号公報
【発明の概要】
【発明が解決しようとする課題】
【０００７】
本発明の技術的課題は、２つのスクリーンを選択的に使用することができると同時に開閉操作もすることができ、しかもどちらのスクリーンを使用する場合にも開閉操作を円滑且つ安定的に行うことができる、選択使用式のスクリーン装置を提供することにある。
【課題を解決するための手段】
【０００８】
前記課題を解決するため、本発明によれば、矩形のスクリーン取付枠内に、該スクリーン取付枠の左右の縦枠杆の一方に固定される固定框と、該スクリーン取付枠内を移動自在の可動框及び仕切框と、前記左右の縦枠杆の他方に固定される框受けとを配設し、前記仕切框は前記固定框と可動框との間に配置し、該仕切框と前記固定框との間及び該仕切框と前記可動框との間にそれぞれ伸縮自在のスクリーンを取り付け、前記仕切框を連結装置で前記固定框と可動框とに選択的に連結することによって２つの前記スクリーンを選択的に使用可能としたスクリーン装置であって、前記連結装置は、前記仕切框に設けた掛け金具と、前記固定框に設けた第１受け金具及び前記可動框に設けた第２受け金具とを有し、前記掛け金具を前記第１受け金具と第２受け金具とに選択的に係止させることによって前記仕切框を前記固定框と可動框とに選択的に連結するように構成されたことを特徴とする選択使用式スクリーン装置が提供される。
【０００９】
本発明においては、前記可動框を直立状態で平行移動させるための平行移動機構が設けられ、該平行移動機構は、前記框受け、可動框、仕切框、固定框の間に掛け渡されたワイヤーを有し、該ワイヤーは、前記可動框及び固定框においては該可動框及び固定框の内部に設けられた転向子に掛け回され、前記仕切框においは該仕切框を水平に貫通している。
【００１０】
本発明において、前記掛け金具は、前記仕切框の一側に位置して前記固定框の第１受け金具に係止する第１係止部と、前記仕切框の他側に位置して前記可動框の第２受け金具に係止する第２係止部とを有し、前記掛け金具と前記第１受け金具及び第２受け金具とは、相対的な上下動操作によって相互に係脱可能とされ、前記第１係止部が第１受け金具に係止しているとき前記第２係止部と第２受け金具とが上下方向の互いに異なる位置を占めて非係止となり、前記第２係止部が第２受け金具に係止しているとき前記第１係止部と第１受け金具とが上下方向の互いに異なる位置を占めて非係止となるように構成されている。
【００１１】
本発明において好ましくは、前記仕切框に前記掛け金具が上下動操作可能に取り付けられ、前記固定框及び可動框に前記第１受け金具及び第２受け金具がそれぞれ固定状態に取り付けられていることである。この場合、前記掛け金具の第１係止部と第２係止部とが上下方向の互いに異なる位置に配設され、前記固定框の第１受け金具と前記可動框の第２受け金具とが上下方向の互いに同じ位置に配設されていることが望ましい。
本発明においては、前記仕切框に前記掛け金具が固定状態に取り付けられ、前記固定框及び可動框に前記第１受け金具及び第２受け金具がそれぞれ上下動操作可能に取り付けられていても良い。
【発明の効果】
【００１２】
本発明によれば、前記仕切框を、該仕切框に設けた掛け金具と前記固定框及び可動框にそれぞれ設けた受け金具とからなる連結装置で前記固定框と可動框とに選択的に連結するようにしたので、２つのスクリーンを選択的に使用することができると同時に開閉操作も行うことができ、しかも、前記可動框を単独で移動操作して一方のスクリーンを開閉する場合は勿論のこと、該可動框と前記仕切框とを一緒に移動操作して他方のスクリーンを開閉操作する場合でも、開閉操作を円滑且つ安定的に行うことができる。
【図面の簡単な説明】
【００１３】
【図１】本発明に係るスクリーン装置の第１実施形態を示す概念的な正面図で、仕切框を固定框に連結して第１のスクリーンを使用する状態を示すものである。
【図２】図１の水平断面図である。
【図３】図１を連結装置の近くで水平に切断して示す斜視図である。
【図４】図３において可動框を仕切框が固定框に当接する位置まで移動させた状態を示す斜視図である。
【図５】図４の状態で連結装置を分解して示す断面図である。
【図６】図５の分解状態を斜め上方から見た斜視図である。
【図７】連結装置の掛け金具を背面側から見た斜視図である。
【図８】掛け金具を第１連結位置に移動させて仕切框を可動框から切り離すと共に固定框に連結した状態を示す要部正面図である。
【図９】掛け金具を第２連結位置に移動させて仕切框を固定框から切り離すと共に可動框に連結した状態を示す要部正面図である。
【図１０】仕切框を可動框に連結した状態を示す、図４と同様の斜視図である。
【図１１】図１０の状態から可動框と仕切框とを移動操作して第２のスクリーンを伸張させる途中の状態を示す、図３と同様の斜視図である。
【図１２】本発明に係るスクリーン装置の第２実施形態を示す斜視図で、仕切框を固定框に連結して第１のスクリーンを使用する状態を示すものである。
【図１３】図１２の平面図である。
【図１４】図１２において可動框を該仕切框に当接する位置まで移動させた状態の斜視図である。
【図１５】前記第２実施形態において、第２のスクリーンを使用するため、図１４の状態から連結装置を切り換えて仕切框を固定框から切り離すと共に可動框に連結した状態を示す斜視図である。
【図１６】図１５の状態から可動框と仕切框とを移動操作し、第２のスクリーンを伸張させて閉鎖する途中の状態を示す斜視図である。
【発明を実施するための形態】
【００１４】
図は本発明に係る選択使用式スクリーン装置の実施形態を示している。このスクリーン装置は、遮光、断熱、目隠し、防虫、花粉の侵入防止等の目的のため建物の窓や出入り口等の建物開口部に取り付けて使用するもので、前記目的のために使用される同一又は異種のスクリーンを２つ備え、これらのスクリーンを選択的に使用できるようにしたものである。
【００１５】
図１−図１１には前記スクリーン装置の第１実施形態が示されている。この第１実施形態のスクリーン装置１Ａは、図１及び図２に示すように、建物開口部に取り付けられる矩形のスクリーン取付枠２を有し、該スクリーン取付枠２は、左右の縦枠杆２ａ，２ｂと上下の横枠杆２ｃ，２ｄとで形成されていて、該スクリーン取付枠２内に、一方の縦枠杆２ａに固定される溝形で中空をなす固定框３と、上下の横枠杆２ｃ，２ｄに案内されて該スクリーン取付枠２内を移動自在の溝形をした可動框４及び仕切框５と、他方の縦枠杆２ｂに固定される溝形の框受け６とが配設され、前記該仕切框５は前記可動框４と固定框３との間に配置されている。
【００１６】
前記可動框４と前記仕切框５との間には、伸縮自在の第１スクリーン７が、一端と他端を前記可動框４と前記仕切框５とに連結されることにより取り付けられ、また、前記仕切框５と前記固定框３との間には、伸縮自在の第２スクリーン８が、一端と他端を前記仕切框５と前記固定框３とに連結されることにより取り付けられ、図１−図４に示すように前記可動框４を単独で移動操作するか、あるいは図１０及び図１１に示すように該可動框４と前記仕切框５とを相互に連結した状態で移動操作することにより、前記第１スクリーン７と第２スクリーン８とを選択的に使用しかつ開閉操作することができるように構成されている。
【００１７】
なお、図においては、前記第１スクリーン７としてハニカム構造をしたスクリーン（ハニカムスクリーン）が使用され、第２スクリーン８として蛇腹状に折曲されたスクリーンが使用されているが、それらの配置は逆であっても良く、あるいは、両方がハニカムスクリーンであっても、両方が蛇腹状スクリーンであっても良い。
【００１８】
前記第１スクリーン７又は第２スクリーン８を開閉操作するとき、前記可動框４及び仕切框５の姿勢を直立状態に保持して安定的に平行移動させるため、前記スクリーン装置１Ａには平行移動機構が設けられている。この平行移動機構は、図２に概念的に示すように、両端を前記框受け６に固定された２本のワイヤー９ａ，９ｂを有している。
【００１９】
一方の第１ワイヤーは９ａは、その一端９ｃが前記框受け６の上端部近くに固定されていて、ここから該框受け６の上端部を通じて前記可動框４の内部に導入されたあと、該可動框４の上端近くの転向子１４ａに巻き掛けられて下方に向きを変え、該可動框４の中央よりやや下方に位置する転向子１４ｂで水平に向きを変えられ、前記第１スクリーン７と仕切框５と第２スクリーン８とを水平に貫通して固定框３内に導入され、該固定框３の下半部に設けられた上下２つの転向子１４ｃと１４ｄとに掛け回されて反転し、再び前記第２スクリーン８と仕切框５と第１スクリーン７とを各々の下端部近くで水平に貫通して前記可動框４内に導入され、該可動框４の下端部近くと上端部近くの転向子１４ｅと１４ｆとに掛け回されて前記框受け６内に戻され、他端９ｄが該框受け６に固定されている。
【００２０】
他方の第２ワイヤーは９ｂは、その一端９ｅが前記框受け６の下端部近くに固定されていて、ここから該框受け６の下端部を通じて前記可動框４の内部に導入されたあと、該可動框４の下端近くの転向子１５ａに巻き掛けられて上方に向きを変え、該可動框４の中央よりやや上方に位置する転向子１５ｂで水平に向きを変えられ、前記第１スクリーン７と仕切框５と第２スクリーン８とを水平に貫通して固定框３内に導入され、該固定框３の上半部に設けられた上下２つの転向子１５ｃと１５ｄとに掛け回されて反転し、再び前記第２スクリーン８と仕切框５と第１スクリーン７とを各々の上端部近くで水平に貫通して前記可動框４内に導入され、該可動框４の上端部近くと下端部近くの転向子１５ｅと１５ｆに掛け回されて前記框受け６内に戻され、他端９ｆが該框受け６に固定されている。
【００２１】
前記仕切框５を前記固定框３と可動框４とに選択的に連結できるようにするため、これらの仕切框５と固定框３と可動框４とに連結装置１０が設けられている。この連結装置１０は、図１−図７から明らかなように、前記仕切框５に取り付けられた掛け金具１１と、前記固定框３に取り付けられた第１受け金具１２と、前記可動框４に取り付けられた第２受け金具１３とを有している。
【００２２】
前記掛け金具１１は、正面視形状がやや縦長の長方形をなす部材で、縦長のガイド孔１６と、該ガイド孔１６を取り囲む凹段状の座繰り部１７とを有すると共に、該掛け金具１１の左右両側面の上下相反する位置に、前記仕切框５の移動方向一側に位置して前記固定框３の第１受け金具１２に係止する第１係止部１８と、前記仕切框５の移動方向他側に位置して前記可動框４の第２受け金具１３に係止する第２係止部１９とを有している。そして、該掛け金具１１は、前記ガイド孔１６と座繰り部１７とに嵌合する取付金具２０によって前記仕切框５に上下動自在に取り付けられ、前記第１係止部１８が第１受け金具１２に係止して前記仕切框５を固定框３に連結する第１連結位置（図１、図３、図８）と、前記第２係止部１９が第２受け金具１３に係止して前記仕切框５を可動框４に連結する第２連結位置（図９−図１１）とに移動可能である。
【００２３】
前記第１係止部１８及び第２係止部１９は、前記掛け金具１１の左右に張り出す薄板状の腕部１１ａの端部に形成された断面コ字形をなす部分で、前記腕部１１ａの端部から掛け金具１１の背面方向に直角に延びる折曲部１１ｂと、該折曲部１１ｂの先端から掛け金具１１の中央に向けて前記腕部１１ａと平行に延びる折返し部１１ｃとを有し、前記第１係止部１８の折返し部１１ｃと前記第２係止部１９の折返し部１１ｃとは互いに逆向きである。また、図示した例で、前記第１係止部１８は掛け金具１１の上半部側に形成され、前記第２係止部１９は掛け金具１１の下半部側に形成されている。
【００２４】
前記掛け金具１１の前記第１係止部１８が形成されている側の下半部と、前記第２係止部１９が形成されている側の上半部とは、前記折曲部１１ｂの一部と前記折返し部１１ｃとが切除された逃げ部２２となっていて、この逃げ部２２の位置では、前記固定框３の第１受け金具１２及び可動框４の第２受け金具１３が該掛け金具１１に接触しないように構成されている。
【００２５】
前記取付金具２０は、前記座繰り部１７内に嵌合する正面視形状が縦長長円形のヘッド部２０ａと、該ヘッド部２０ａの背面側に突出して前記ガイド孔１６内に嵌合する縦長長円形のガイド軸部２０ｂと、該ガイド軸部２０ｂを貫通するように形成された２つの取付孔２０ｃとを有し、該取付孔２０ｃ内に挿通した取付螺子２１を、前記仕切框５の側面を上下方向に延びる取付溝２５を通じて、該仕切框５の内部のナット部材２６に螺着することにより、前記仕切框５の側壁５ａの外面に固定されている。このとき、前記ガイド軸部２０ｂの高さ（厚さ）は前記ガイド孔１６の深さより僅かに大きいため、該掛け金具１１は取付金具２０に対して上下動可能である。
【００２６】
なお、前記取付金具２０と取付螺子２１とを覆って外観を良くしたり、前記取付螺子２１が不用意に取り外されるのを防止したりするため、図５及び図６に鎖線で示すように、前記掛け金具１１の前面にカバー２７を取り外し可能に取り付けることもできる。このカバー２７の取り付けは、図示したように、該カバー２７の上下に形成した弾性係止部２７ａを前記掛け金具１１の上下に形成した係止孔１１ｄに弾力的に係止させる方法で行うことができるが、螺子止めなどのその他の取付方法を用いることもできる。
【００２７】
前記掛け金具１１における座繰り部１７の左右の側壁と、前記取付金具２０におけるヘッド部２０ａの左右の側面とには、前記掛け金具１１を前記第１連結位置と第２連結位置とに位置決め状態に保持するための保持機構が設けられている。
この保持機構は、前記座繰り部１７の左右の側壁の上下対称をなす位置にそれぞれ２つずつ形成された係止凹部２８と、前記ヘッド部２０ａの左右の側面にそれぞれ１つずつ形成された係止弾片２９とを有している。前記係止弾片２９は、外面が丸みを帯びた係止頭２９ａを先端に有していて、左側の係止弾片２９と右側の係止弾片２９とが互いに上下逆向きに延在し、前記係止頭２９ａがヘッド部２０ａの上下方向の中央に位置している。
そして、図８に示すように、前記掛け金具１１を押し下げて前記第１連結位置に移動させると、前記係止弾片２９の係止頭２９ａが上方の係止凹部２８に弾力的に係合して掛け金具１１をその位置に保持し、図９に示すように、前記掛け金具１１を押し上げて前記第２連結位置に移動させると、前記係止弾片２９の係止頭２９ａが下方の係止凹部２８に弾力的に係合して掛け金具１１をその位置に保持する。
【００２８】
一方、前記固定框３の側壁３ａに取り付けられた前記第１受け金具１２と、前記可動框４の側壁４ａに取り付けられた前記第２受け金具１３とは、図１−図９から明らかなように、端部に断面Ｌ字形の係止受け部３１を有している。該係止受け部３１は、前記固定框３及び可動框４の側面外方に向けて前記側壁３ａ，４ａと直角に突出する折曲部３１ａと、該折曲部３１ａの先端から前記側壁３ａ，４ａに平行に折り返された折返し部３１ｂとを有している。前記第１受け金具１２の折返し部３１ｂと第２受け金具１３の折返し部３１ｂとは互いに逆向きであり、これらの係止受け部３１が、前記掛け金具１１の第１係止部１８及び第２係止部１９と係合し合う。また、前記固定框３の第１受け金具１２と前記可動框４の第２受け金具１３とは、上下方向の互いに同じ位置に取り付けられている。
【００２９】
前記構成を有するスクリーン装置１Ａにおいて、前記可動框４と仕切框５との間の第１スクリーン７を使用するときは、図１−図３に示すように、前記仕切框５を固定框３に連結する。その操作は、前記仕切框５を固定框３に当接させた状態で前記掛け金具１１を押し下げて第１連結位置に移動させ、第１係止部１８を第１受け金具１２に係止させることにより行う。そして、前記可動框４を単独で框受け６側に移動させ、該框受け６に当接させて永久磁石や係止金具等の止着手段で必要に応じて該框受け６に止着させることにより、前記第１スクリーン７を伸長させて使用状態にする。このとき、第２スクリーン８は、完全に折り畳まれて前記固定框３と仕切框５との間に収納される。
【００３０】
前記第１スクリーン７を折り畳んで開放するときは、図４に示すように、前記可動框４を前記仕切框５の方に移動させる。該可動框４が仕切框５に当接する位置が全開位置である。この全開位置において、前記第１スクリーン７は、完全に折り畳まれて前記可動框４と仕切框５との間に収納され、また、前記可動框４の第２受け金具１３は、前記掛け金具１１の第２係止部１９の上方にある逃げ部２２内に入り込み、該第２係止部１９に当接も係止もしない。
【００３１】
このように第１スクリーン７を使用するとき、前記仕切框５は連結装置１０で固定框３に連結されているため、伸縮する第１スクリーン７に引っ張られたり押されたりすることによって位置ずれすることがなく、該仕切框５の位置ずれによる影響が可動框４に及ばないので、該可動框４の移動操作を安定的に行うことができる。しかも、前記平行移動機構のワイヤー９ａ，９ｂを該仕切框５の内部で転向子等に掛け回すことなく、該仕切框５を単に水平に貫通するように配置するだけの簡単な構成により、該仕切框５を前記固定框３に連結された位置に安定的に保持させることができる。
【００３２】
また、前記仕切框５と固定框３との間の第２スクリーン８を使用するときは、図１０に示すように、前記仕切框５を可動框４に連結する。その操作は、前記仕切框５を可動框４に当接させた状態で前記掛け金具１１を押し上げて第２連結位置に移動させ、第２係止部１９を第２受け金具１３に係止させることにより行う。そして、該可動框４と仕切框５と一緒に框受け６側に移動させて該框受け６に当接させ、必要に応じて止着手段で止着させることにより、前記第２スクリーン８を伸長させて使用状態にする。このとき、第１スクリーン７は、完全に折り畳まれて前記可動框４と仕切框５との間に収納される。
【００３３】
前記第２スクリーン８を折り畳んで開放するときは、図１１に示すように、前記可動框４と仕切框５を前記固定框３の方に移動させる。仕切框５が固定框３に当接する位置が全開位置である。この全開位置において、前記第２スクリーン８は、完全に折り畳まれて前記仕切框５と固定框３との間に収納され、また、前記固定框３の第１受け金具１２は、前記掛け金具１１の第１係止部１８の下方にある逃げ部２２内に入りみ、該第１係止部１８に当接も係止もしない。
【００３４】
このように第２スクリーン８を使用するとき、前記可動框４と仕切框５とは連結装置１０で一体に連結されているため、それらの移動操作は安定的に行うことができる。また、前記平行移動機構のワイヤー９ａ，９ｂを、前記仕切框５の内部で転向子等に掛け回すことなく、該仕切框５を単に水平に貫通するように配置するだけの簡単な構成により、前記仕切框５の安定した移動操作が可能になる。
【００３５】
前記仕切框５を固定框３と可動框４とに選択的に連結する場合、該仕切框５を前記固定框３及び可動框４の一方から分離させる操作と他方に連結する操作とを別々に行っても良いが、図８及び図９に示すように、前記仕切框５と固定框３と可動框４とを全て当接させた状態でその操作を行うことにより、前記掛け金具１１を押し上げるか又は押し下げるだけの一度の操作で、前記分離操作と連結操作とを同時に行うことができる。
【００３６】
即ち、図８のように掛け金具１１が第１連結位置にあって仕切框５が固定框３に連結されている状態から、該仕切框５を可動框４に連結させるときは、前記掛け金具１１を上方に押し上げて図９に示す第２連結位置に移動させる。この操作により、前記掛け金具１１の第１係止部１８が固定框３の第１受け金具１２から外れて前記仕切框５が該固定框３から分離されると同時に、第２係止部１９が可動框４の第２受け金具１３に係止して仕切框５が該可動框４に連結される。
【００３７】
また、図９のように掛け金具１１が第２連結位置にあって仕切框５が可動框４に連結されている状態から、該仕切框５を固定框３に連結させるときは、前記掛け金具１１を図８の第１連結位置に押し下げれば良い。この操作により、前記掛け金具１１の第２係止部１９が可動框４の第２受け金具１３から外れて前記仕切框５が該可動框４から分離されると同時に、第１係止部１８が固定框３の第１受け金具１２に係止して仕切框５が該固定框３に連結される。
【００３８】
図示した実施形態においては、前記掛け金具１１の第１係止部１８と第２係止部１９とを上下方向の互いに異なる位置に設け、前記固定框３の第１受け金具１２と前記可動框４の第２受け金具１３とを上下方向の互いに同じ位置に設けているが、それとは逆に、前記第１係止部１８と第２係止部１９とを上下方向の互いに同じ位置に設け、前記第１受け金具１２と第２受け金具１３とを上下方向の互いに異なる位置に設けても良い。
【００３９】
図１２−図１６はスクリーン装置の第２実施形態を示すもので、この第２実施形態のスクリーン装置１Ｂが前記第１実施形態のスクリーン装置１Ａと相違する点は、連結装置１０の掛け金具３５が仕切框５に固定状態に取り付けられ、第１受け金具３６と第２受け金具３７とが固定框３と可動框４とにそれぞれ上下動操作可能に取り付けられている点と、第１スクリーン７が蛇腹状のスクリーンである点である。
【００４０】
前記掛け金具３５は、前記固定框３と向き合う第１金具片３５ａと、前記可動框４と向き合う第２金具片３５ｂとに分かれていて、前記第１金具片３５ａの側端部に断面Ｌ字形をした第１係止部３８が形成され、前記第２金具片３５ｂの側端部に断面Ｌ字形をした第２係止部３９が形成されている。
前記第１係止部３８及び第２係止部３９は、それぞれ、各金具片３５ａ，３５ｂから仕切框５の側壁５ａと直角に突出する折曲部４０ａと、該折曲部４０ａの先端から前記側壁５ａに平行に折り返された折返し部４０ｂとを有している。また、前記第１金具片３５ａと第２金具片３５ｂとは、上下方向の互いに同じ位置に取り付けられている。該第１金具片３５ａと第２金具片３５ｂとは一体であっても構わない。
【００４１】
一方、前記第１受け金具３６は、前記固定框３の側壁３ａの外面に上下動自在に取り付けられた操作部材３６ａと、該操作部材３６ａから前記側壁３ａを貫通して該側壁の内側に突出するＬ字形の係止受け部３６ｂとを有し、前記第２受け金具３７は、前記可動框４の側壁４ａの外面に上下動自在に取り付けられた操作部材３７ａと、該操作部材３７ａから前記側壁４ａを貫通して該側壁の内側に突出するコ字形の係止受け部３７ｂとを有している。
【００４２】
そして、第１スクリーン７を使用するときは、図１２−図１４に示すように、前記第１受け金具３６の操作部材３６ａを上方に押し上げ、係止受け部３６ｂを第１金具片３５ａの第１係止部３８に係止させて仕切框５を固定框３に連結すると共に、前記第２受け金具３７の操作部材３７ａを下方に押し下げて係止受け部３７ｂを第２金具片３５ｂの第２係止部３９から外すことにより仕切框５を可動框４から分離する。これにより、前記可動框４を単独で移動操作して前記第１スクリーン７を開閉することができる。
【００４３】
また、第２スクリーン８を使用するときは、図１５及び図１６に示すように、前記第１受け金具３６の操作部材３６ａを下方に押し下げ、係止受け部３６ｂ（図１３参照）を第１金具片３５ａの第１係止部３８から外して前記仕切框５を固定框３から分離させると共に、前記第２受け金具３７の操作部材３７ａを上方に押し上げ、係止受け部３７ｂ（図１３参照）を第２金具片３５ｂの第２係止部３９に係止させて前記仕切框５を可動框４に連結する。これにより、前記可動框４と仕切框５とを一緒に移動操作して前記第２スクリーン８を開閉させることができる。
【００４４】
前記第２実施形態の前述したこと以外の構成及び作用は前記第１実施形態と実質的に同じであるので、該第１実施形態と同一の主要構成部分に同一符号を付してその説明は省略する。
【００４５】
なお、前記各実施形態において、前記連結装置１０を形成する掛け金具１１／３５、取り付け金具２０、第１受け金具１２／３６、及び第２受け金具１３／３７は、アルミニウムやアルミニウム合金等の金属で形成されているが、硬質の合成樹脂で形成することもできる。
また、図示した実施形態において、前記連結装置１０はスクリーン装置１Ａ／１Ｂの上下（高さ）方向の中央付近に一組だけ設けられているが、該連結装置１０は前記スクリーン装置１Ａ／１Ｂの上下方向の複数箇所に複数組設けることもできる。
更に、前記掛け金具１１／３５の第１係止部１８／３８及び第２係止部１９／３９と、前記第１受け金具１２／３６の係止受け部３１／３６ｂと、前記第２受け金具１３／３７の係止受け部３１／３７ｂとは、何れもＬ字形の断面形状をしているが、折返し部１１ｃ／３１ｂ／４０ｂをなくして折曲部１１ｂ／３１ａ／４０ａだけとしても良く、あるいは、相互に係合し合える形状であればその他の形状であっても構わない。
【符号の説明】
【００４６】
１Ａ，１Ｂ      スクリーン装置
２      スクリーン取付枠
３      固定框
４      可動框
５      仕切框
６      框受け
７      第１スクリーン
８      第２スクリーン
９ａ，９ｂ      ワイヤー
１０      連結装置
１１，３５      掛け金具
１２，３６      第１受け金具
１３，３７      第２受け金具
１４ａ−１４ｆ      転向子
１５ａ−１５ｆ      転向子
１８，３８      第１係止部
１９，３９      第２係止部
【図１】
2014118772.tif 000003
【図２】
2014118772.tif 000004
【図３】
2014118772.tif 000005
【図４】
2014118772.tif 000006
【図５】
2014118772.tif 000007
【図６】
2014118772.tif 000008
【図７】
2014118772.tif 000009
【図８】
2014118772.tif 000010
【図９】
2014118772.tif 000011
【図１０】
2014118772.tif 000012
【図１１】
2014118772.tif 000013
【図１２】
2014118772.tif 000014
【図１３】
2014118772.tif 000015
【図１４】
2014118772.tif 000016
【図１５】
2014118772.tif 000017
【図１６】
2014118772.tif 000018